(57)【要約】  【課題】本発明は、歯科インプラントが口内で脱落して汚染されたり、上顎洞に誤って押込まれたりすることを防ぐことにある。  【解決手段】本発明は、オネジ区域を有する固定部と接続部とを包括する、第一メネジ及び第二メネジを有する歯科インプラントを提供している。前記接続部は、前記固定部上に設置し、第一内壁及び前記第一内壁に設置する第二内壁を有する通孔を有し、前記通孔はネジ山無しで橋脚歯と接続するために用い、また、前記第二内壁は、第一メネジ及び第二メネジを有し、前記第一メネジの方向は、前記第二メネジの方向と異なり、少なくとも一つの伝送工具とそれぞれ合わせるために用いることで、前記歯科インプラントの植込み或いは取出しを行っている。前記歯科インプラントは、臨床における作業が容易となり、且つ臨床における作業の際、伝送工具と分離或いは脱落することなく結合することができる。【選択図】図２
2015536176.tif 000002
【特許請求の範囲】
【請求項１】
オネジ区域を有する固定部と、
前記固定部上に設置し、第一内壁及び前記第一内壁に設置する第二内壁を有する通孔を有する接続部とを包括し、
前記通孔はネジ山無しで橋脚歯と接続するために用い、また、前記第二内壁は、第一メネジ及び第二メネジを有し、前記第一メネジの方向は、前記第二メネジの方向と異なり、且つ前記第一メネジ及び前記第二メネジは前記第二内壁と同じぐらいの高さの範囲内に有し、少なくとも一つの伝送工具とそれぞれ合わせるために用いることで、歯科インプラントの植込み或いは取出しを行うことを特徴とする第一メネジ及び第二メネジを有する歯科インプラント。
【請求項２】
前記第一メネジ及び前記第二メネジは、前記第二内壁と同一の高さにあり、前記第一メネジが右回りネジ、前記第二メネジが左回りネジであることを特徴とする請求項１に記載の第一メネジ及び第二メネジを有する歯科インプラント。
【請求項３】
前記第一メネジ及び前記第二メネジは、交錯することを特徴とする請求項２に記載の第一メネジ及び第二メネジを有する歯科インプラント。
【請求項４】
前記第一メネジは、第一伝送工具の第一オネジに合わせるために用いることで、前記歯科インプラントを植込み、前記第二メネジは、第二伝送工具の第二オネジに合わせるために用いることで、前記歯科インプラントを取出すことを特徴とする請求項２に記載の第一メネジ及び第二メネジを有する歯科インプラント。
【請求項５】
前記第一メネジは、一周し、前記第二メネジも、一周することを特徴とする請求項１に記載の第一メネジ及び第二メネジを有する歯科インプラント。
【請求項６】
前記第二内壁は、斜面であって、前記通孔の底部に向かって縮小することを特徴とする請求項１に記載の第一メネジ及び第二メネジを有する歯科インプラント。
【発明の詳細な説明】
【技術分野】
【０００１】
本発明は歯科インプラントに関し、特に、第一メネジ及び第二メネジを有する歯科インプラントに関するものである。
【背景技術】
【０００２】
周知歯科インプラントを示す模式図である図７を参照してほしい。周知歯科インプラント７０は、複数のフィン（Ｆｉｎ）を有する固定部７１及び前記固定部７１上に設置して橋脚歯(図示されていない)と接続するために用いる接続部７２を包括している。
【０００３】
これ等フィンは外側に向かって平行に延在するため、前記周知歯科インプラント７０を植込む際、外力で人骨内に打込んでおり、植込む角度或いは植込む深さが好ましくなくてそれを取出す場合、前記周知歯科インプラント７０の通孔７３が平坦でネジ山がない構成で、工具と安全に結合することができないため、臨床上、作業が困難となっている。且つ、上顎後方歯において、前記周知歯科インプラント７０は上顎洞内に誤って押込まれる可能性がある。
【発明の概要】
【発明が解決しようとする課題】
【０００４】
このため、新規性且つ進歩性を具えた第一メネジ及び第二メネジを有する歯科インプラントを提供することで、上述した課題を解決する必要がある。
【課題を解決するための手段】
【０００５】
本発明は、オネジ区域を有する固定部と接続部とを包括する、第一メネジ及び第二メネジを有する歯科インプラントを提供している。前記接続部は、前記固定部上に設置し、第一内壁及び前記第一内壁に設置する第二内壁を有する通孔を有し、前記通孔はネジ山無しで橋脚歯と接続するために用い、また、前記第二内壁は、第一メネジ及び第二メネジを有し、前記第一メネジの方向は、前記第二メネジの方向と異なり、少なくとも一つの伝送工具とそれぞれ合わせるために用いることで、前記歯科インプラントの植込み或いは取出しを行っている。
【発明の効果】
【０００６】
前記第一メネジと前記第二メネジを利用することで、本発明に係る歯科インプラントは、人骨に入れたり外したりすることが可能となるため、臨床における作業が容易となり、且つ臨床における作業の際、本発明に係る歯科インプラントは、伝送工具と分離或いは脱落することなく結合することができるため、歯科インプラントが脱落したり、上顎洞に誤って押込まれたりすることを防いでいる。
【図面の簡単な説明】
【０００７】
【図１】本発明に係る第一メネジ及び第二メネジを有する歯科インプラントを示す模式図である。
【図２】本発明に係る第一メネジ及び第二メネジを有する歯科インプラントを示す断面図である。
【図３】本発明に係る歯科インプラントの通孔の局部拡大を示す模式図である。
【図４】第一伝送工具を利用して本発明に係る歯科インプラントを植込むことを示す模式図である。
【図５】第二伝送工具を利用して本発明に係る歯科インプラントを取出すことを示す模式図である。
【図６】第二伝送工具を利用して本発明に係る歯科インプラントを取出した後を示す模式図である。
【図７】周知歯科インプラントを示す模式図である。
【発明を実施するための形態】
【０００８】
まず、実施例を以て説明する前に、以下において述べる「上」、「下」は、重力とは関係はなく、「上」とはその後接続する例えば、入れ歯等の人工装具（ｐｒｏｓｔｈｅｓｉｓ）に近接する咬合面或いは切端を指し、「下」とはその反対方向を指している。
【０００９】
本発明に係る第一メネジ及び第二メネジを有する歯科インプラントを示す模式図である図１及び本発明に係る第一メネジ及び第二メネジを有する歯科インプラントを示す断面図である図２を参照すると、本発明に係る、第一メネジ及び第二メネジを有する歯科インプラント１０は、オネジ区域を有する固定部１１と接続部１２とを包括している。本実施例において、前記固定部１１の前記オネジ区域は、右回りネジである。
【００１０】
前記接続部１２は、前記固定部１１上に設置して通孔１２０を有している。前記通孔１２０は、前記歯科インプラント１０の頂面１３において開口を有し、下方に向かって延在している。また、前記通孔１２０は、メネジを有していない第一内壁１２１及び前記第一内壁１２１に設置する第二内壁１２２を有し、前記通孔１２０はネジ山無しで橋脚歯５０（ａｂｕｔｍｅｎｔ）と接続するために用い、即ち本発明に係る歯科インプラント１０は、前記橋脚歯５０とロッキングテーパー（ｌｏｃｋｉｎｇ  ｔａｐｅｒ）タイプの接続となっている。
【００１１】
ロッキングテーパータイプの接続を利用して前記橋脚歯５０及び前記歯科インプラント１０を接続する時、前記橋脚歯５０の第一部分５１を利用して円錐状を呈し、且つその角度ｂは、前記歯科インプラント１０にある前記通孔１２０の前記第一内壁１２１の直立角度ａ構成よりやや大きく、適切な大きさの場合、有効的に固定するように結合することができる。その利点は、構成が簡単で、作業が容易なことにあり、且つ好ましい細菌の閉鎖性があることにより、患者が装着した後異臭が発生し難い。また、前記橋脚歯５０の前記第一部分５１は、前記第一内壁１２１にのみ接触しており、前記第二内壁１２２とは接触せず負勢を受けていない。また、前記橋脚歯５０の第二部分５２は、入れ歯(図示されていない)に接続するために用いている。
【００１２】
また、前記第二内壁１２２は、第一メネジ１２３及び第二メネジ１２４を有し、前記第一メネジ１２３の方向は、前記第二メネジ１２４の方向と異なり、少なくとも一つの伝送工具とそれぞれ合わせるために用いることで、前記歯科インプラント１０の植込み或いは取出しを行っている。
【００１３】
次に、本発明に係る歯科インプラントの通孔の局部拡大を示す模式図である図３を参照すると、本実施例において、前記第一メネジ１２３は右回りネジであって、前記第二メネジ１２４は左回りネジである。空間を節約するため、前記第二内壁１２２と同じぐらいの高さの範囲内に、前記第一メネジ１２３と前記第二メネジ１２４とを有している。前記第一メネジ１２３及び前記第二メネジ１２４は、前記第二内壁１２２と同一の高さにあり、且つ交錯することで、空間を節約し、前記第二内壁１２２が長くなることを防いでいることが好ましい。また、洗浄し易くするため、前記第一メネジ１２３及び前記第二メネジ１２４のネジ山が高くて丸みを帯びたものが好ましい。
【００１４】
前記第一メネジ１２３及び前記第二メネジ１２４がその後前記橋脚歯５０に接続する時接触して負勢を受けないようにするため、ネジ山の周数を多くしないことで、前記第二内壁１２２が長くなることを防いでおり、ショートインプラント（ｓｈｏｒｔ  ｉｍｐｌａｎｔ）を製作し易くするため、前記第一メネジ１２３の周数は一周或いは一周より少なくすることが好ましく、前記第二メネジ１２４の周数は一周或いは一周より少なくすることが好ましい。前記第一メネジ１２３及び前記第二メネジ１２４の周数が半周より少ない場合、前記第一メネジ１２３及び前記第二メネジ１２４は交錯しなくてもよい。また、前記第一メネジ１２３及び前記第二メネジ１２４の周数が少ないと、捻れ具合が急になるため、ネジ山が高くて丸みを帯びたネジ山を合わせることで、前記第一メネジ１２３及び前記第二メネジ１２４の洗浄し難い箇所を少なくし、その後の洗浄を容易にしている。
【００１５】
また、本実施例において、前記第二内壁１２２は斜面であって、前記通孔１２０の底部に向かって縮小している。前記第一メネジ１２３及び前記第二メネジ１２４も、斜面である前記第二内壁１２２に沿って前記通孔１２０の底部まで延在し、且ついずれも前記通孔１２０の底部で一周している。前記第一メネジ１２３及び前記第二メネジ１２４が斜面である前記第二内壁１２２に沿って上から下に延在し、これ等のネジ溝の深さが浅い箇所から徐々に深くなり、且つ臨床上の安全性を増加させるため、そのネジ溝で形成する長手方向の全体の外径が同一とすることで、伝送工具で一回転しないと前記第一メネジ１２３及び前記第二メネジ１２４から離脱できないようにすることが好ましい。
【００１６】
第一伝送工具を利用して本発明に係る歯科インプラントを植込むことを示す模式図である図４を参照すると、第一伝送工具２０は、前記通孔１２０に入り込むための第一伝送ロッド２１を有し、前記第一伝送ロッド２１の外径が前記第一内壁１２１の内径よりやや小さくすることで、前記通孔１２０内に円滑に入り込み易くなっている。また、前記第一伝送ロッド２１は、第一オネジ２１１を包括し、前記第一メネジ１２３の形状且つ前記固定部１１の前記オネジ区域に合わせて右回りネジとなっており、前記第一伝送工具２０によって、本発明に係る歯科インプラント１０を人骨４０内に徐々に入れることで、本発明に係る歯科インプラント１０を人骨４０内に植込んでいる。
【００１７】
また、前記第一伝送工具２０は、前記第一伝送ロッド２１の一区域に設置する第一構成弱体化区域２２をさらに包括し、前記第一構成弱体化区域２２の外径は前記第一伝送ロッド２１の外径より小さく、これにより、前記第一伝送工具２０が断裂する恐れがある場合、前記第一構成弱体化区域２２で断裂することで、前記第一伝送工具２０が前記第一オネジ２１１で断裂が発生することを防いでいる。
【００１８】
次に、第二伝送工具を利用して本発明に係る歯科インプラントを取出すことを示す模式図である図５を参照すると、第二伝送工具３０は、前記通孔１２０に入り込むための第二伝送ロッド３１を有し、前記第二伝送ロッド３１の外径が前記第一内壁１２１の内径よりやや小さくすることで、前記通孔１２０内に円滑に入り込み易くなっている。また、前記第二伝送ロッド３１は、第二オネジ３１１を包括し、前記第二メネジ１２４の形状に合わせて左回りネジとなっている。前記固定部１１の前記オネジ区域は右回りネジであることから、本発明に係る歯科インプラント１０を取出したい場合は反対方向に回転しなければならないため、前記第二伝送工具３０を利用して本発明に係る歯科インプラント１０を前記人骨４０から徐々に外すことで、本発明に係る歯科インプラント１０を取出している。
【００１９】
また、前記第二伝送工具３０は、前記第二伝送ロッド３１の一区域に設置する第二構成弱体化区域３２をさらに包括し、前記第二構成弱体化区域３２の外径は前記第二伝送ロッド３１の外径より小さく、これにより、前記第二伝送工具３０が断裂する恐れがある場合、前記第二構成弱体化区域３２で断裂することで、前記第二伝送工具３０が前記第二オネジ３１１で断裂が発生することを防いでいる。
【００２０】
最後に、第二伝送工具を利用して本発明に係る歯科インプラントを取出した後を示す模式図である図６を参照すると、前記第二伝送工具３０を利用して本発明に係る歯科インプラント１０を取出した後、前記第二オネジ３１１は前記第二メネジ１２４の形状と合わさっているため、前記人骨４０から本発明に係る歯科インプラント１０を取出すと、前記第二伝送工具３０の前記第二オネジ３１１が本発明に係る歯科インプラント１０の前記第二メネジ１２４と緊密に結合したままであることから、本発明に係る歯科インプラント１０が取出された時或いは取出された後、前記第二伝送工具３０と分離或いは脱落することはなく、歯科インプラントが口内で脱落して汚染されることを防いでいる。
【００２１】
前記第一メネジ１２３と前記第二メネジ１２４を利用することで、本発明に係る歯科インプラント１０は、前記人骨４０に入れたり外したりすることが可能となるため、臨床における作業が容易となり、且つ臨床における作業の際、本発明に係る歯科インプラント１０は、伝送工具と分離或いは脱落することなく結合することができるため、歯科インプラントが口内で脱落して汚染されたり、上顎洞に誤って押込まれたりすることを防いでいる。
【００２２】
なお、上述した実施例は、本発明の特徴及びその効果を説明するものに過ぎず、本発明を限定するものではない。このため、当該業者が上述した実施例に対して修正及び変更を行ってとしても、本発明の精神を逸脱することはない。
【符号の説明】
【００２３】
１０      歯科インプラント
１１      固定部
１２      接続部
１３      頂面
２０      第一伝送工具
２１      第一伝送ロッド
２２      第一構成弱体化区域
３０      第二伝送工具
３１      第二伝送ロッド
３２      第二構成弱体化区域
４０      人骨
５０      橋脚歯
５１      第一部分
５２      第二部分
７０      周知歯科インプラント
７１      固定部
７２      接続部
７３      通孔
１２０    通孔
１２１    第一内壁
１２２    第二内壁
１２３    第一メネジ
１２４    第二メネジ
２１１    第一オネジ
３１１    第二オネジ
【図１】
2015536176.tif 000003
【図２】
2015536176.tif 000004
【図３】
2015536176.tif 000005
【図４】
2015536176.tif 000006
【図５】
2015536176.tif 000007
【図６】
2015536176.tif 000008
【図７】
2015536176.tif 000009
【国際調査報告】
2015536176.tif 000010
2015536176.tif 000011
2015536176.tif 000012
2015536176.tif 000013
2015536176.tif 000014
2015536176.tif 000015